【手続補正書】
【提出日】平成15年4月7日(2003.4.7)
【手続補正１】
【補正対象書類名】明細書
【補正対象項目名】特許請求の範囲
【補正方法】変更
【補正の内容】
【特許請求の範囲】
【請求項１】
セルロース繊維、及び任意のてん料を含む水性懸濁液に、
（ｉ）陰イオン又は陽イオンサイジング分散液、及び
（ｉｉ）一つ以上の芳香族基を有する陽イオン有機ポリマー、及び一つ以上の芳香族基を有する段階成長ポリマー、多糖又は天然産芳香族ポリマーである陰イオンポリマーを含むサイジング促進剤
を添加し、得られた懸濁液を地合構成し、脱水することを含み、該サイジング分散液及びサイジング促進剤を水性懸濁液に別々に添加することを特徴とする紙のサイジング方法。
【請求項２】
サイジング促進剤中に含まれる陽イオン有機ポリマー及び陰イオンポリマーを水性懸濁液に別々に添加する請求の範囲第１項記載の方法。
【請求項３】
サイジング促進剤中に含まれる芳香族基を有する陰イオンポリマーをサイジング分散液及びサイジング促進剤中に含まれる芳香族基を有する陽イオン有機ポリマーの両方の後に水性懸濁液に添加する請求の範囲第１項記載の方法。
【請求項４】
陽イオン有機ポリマーが陽イオン多糖又は陽イオンビニル付加ポリマーである請求の範囲第１項から第３項のいずれか１項に記載の方法。
【請求項５】
陽イオン有機ポリマーが構造式（Ｉ）：
【化１】
2004514796.tif 000001
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖、及び／又は一般式（II）：
【化２】
2004514796.tif 000002
（式中、Ｒ1はＨ又はＣＨ3であり、Ｒ2及びＲ3は夫々１〜３個の炭素原子を有するアルキル基であり、Ａ1はＯ又はＮＨであり、Ｂ1は２〜８個の炭素原子を有するアルキレン基又はヒドロキシプロピレン基であり、Ｑは芳香族基を含む置換基であり、かつＸ-は陰イオン対イオンである）
により表される陽イオンモノマー又は陽イオンモノマーを含むモノマー混合物を重合することにより得られたビニル付加ポリマーである請求の範囲第１項から第４項のいずれか１項に記載の方法。
【請求項６】
陽イオン有機ポリマーが陽イオン多糖から選ばれる請求の範囲第１項記載の方法。
【請求項７】
陽イオン有機ポリマーが陽イオン澱粉から選ばれる請求の範囲第１項記載の方法。
【請求項８】
陽イオンポリマーが構造式（Ｉ）：
【化３】
2004514796.tif 000003
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖から選ばれる請求の範囲第１項記載の方法。
【請求項９】
Ａが必要により１個以上のヘテロ原子により中断又は置換されていてもよい、２〜１８個の炭素原子を有するアルキレン基であり、Ｒ1及びＲ2が夫々Ｈ又は１〜３個の炭素原子を有するアルキル基であり、Ｒ3がベンジル基又はフェニルエチル基である請求の範囲第８項記載の方法。
【請求項１０】
陰イオンポリマーが段階成長ポリマー又は天然産芳香族ポリマーである請求の範囲第１項から第９項のいずれか１項に記載の方法。
【請求項１１】
陰イオンポリマーがナフタレンスルホネート縮合ポリマー又は変性リグニンポリマーである請求の範囲第１項から第９項のいずれか１項に記載の方法。
【請求項１２】
陰イオンポリマーが縮合ナフタレンスルホネート又はリグニンスルホネートである請求の範囲第１項から第９項のいずれか１項に記載の方法。
【請求項１３】
セルロース繊維、及び任意のてん料を含む水性懸濁液に、
（ｉ）サイジング剤及び一つ以上の芳香族基を有する陰イオンポリマーを含む陰イオン又は陽イオンサイジング分散液、及び
（ｉｉ）一つ以上の芳香族基を有する陽イオン有機ポリマー、及び一つ以上の芳香族基を有する陰イオンポリマーを含むサイジング促進剤、
を添加し、得られた懸濁液を地合構成し、脱水することを含み、サイジング分散液及びサイジング促進剤を水性懸濁液に別々に添加することを特徴とする紙のサイジング方法。
【請求項１４】
サイジング分散液が一つ以上の芳香族基を有する陽イオン有機ポリマーをさらに含む請求の範囲第１３項記載の方法。
【請求項１５】
陽イオン有機ポリマーが陽イオン多糖又は陽イオンビニル付加ポリマーである請求の範囲第１３項または第１４項記載の方法。
【請求項１６】
陽イオン有機ポリマーが構造式（Ｉ）：
【化４】
2004514796.tif 000004
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖、又は一般式（II）：
【化５】
2004514796.tif 000005
（式中、Ｒ1はＨ又はＣＨ3であり、Ｒ2及びＲ3は夫々１〜３個の炭素原子を有するアルキル基であり、Ａ1はＯ又はＮＨであり、Ｂ1は２〜８個の炭素原子を有するアルキレン基又はヒドロキシプロピレン基であり、Ｑは芳香族基を含む置換基であり、かつＸ-は陰イオン対イオンである）
により表される陽イオンモノマー又は陽イオンモノマーを含むモノマー混合物を重合することにより得られたビニル付加ポリマーである請求の範囲第１３項または第１４項記載の方法。
【請求項１７】
陽イオン有機ポリマーが陽イオン多糖である請求の範囲第１３項または第１４項記載の方法。
【請求項１８】
陽イオン有機ポリマーが構造式（Ｉ）：
【化６】
2004514796.tif 000006
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖である請求の範囲第１７項記載の方法。
【請求項１９】
Ａが必要により１個以上のヘテロ原子により中断又は置換されていてもよい、２〜１８個の炭素原子を有するアルキレン基であり、Ｒ1及びＲ2が夫々Ｈ又は１〜３個の炭素原子を有するアルキル基であり、Ｒ3がベンジル基又はフェニルエチル基である請求の範囲第１８項記載の方法。
【請求項２０】
陰イオンポリマーが段階成長ポリマー、多糖又は天然産芳香族ポリマーである請求の範囲第１３項から第１９項のいずれか１項に記載の方法。
【請求項２１】
陰イオンポリマーが段階成長ポリマー又は天然産芳香族ポリマーである請求の範囲第１３項から第１９項のいずれか１項に記載の方法。
【請求項２２】
陰イオンポリマーがナフタレンスルホネート縮合ポリマー又は変性リグニンポリマーである請求の範囲第１３項から第１９項のいずれか１項に記載の方法。
【請求項２３】
陰イオンポリマーが縮合ナフタレンスルホネート又はリグニンスルホネートである請求の範囲第１３項から第１９項のいずれか１項に記載の方法。
【請求項２４】
サイジング剤がセルロース反応性サイジング剤である請求の範囲第１項から第２３項のいずれか１項に記載の方法。
【請求項２５】
サイジング剤がケテン二量体又は酸無水物である請求の範囲第１項から第２４項のいずれか１項に記載の方法。
【請求項２６】
サイジング剤が酸無水物である請求の範囲第１項から第２４項のいずれか１項に記載の方法。
【請求項２７】
懸濁液の導電率が少なくとも４．５ｍＳ／ｃｍである請求の範囲第１項から第２６項のいずれか１項に記載の方法。
【請求項２８】
サイジング促進剤中に含まれる陽イオン有機ポリマー及び陰イオンポリマーを水性懸濁液に別々に添加する請求の範囲第１３項から第２７項のいずれか１項に記載の方法。
【請求項２９】
サイジング促進剤中に含まれる陰イオンポリマーをサイジング促進剤中に含まれるサイジング分散液及び陽イオン有機ポリマーの両方の後に水性懸濁液に添加する請求の範囲第１３項から第２８項のいずれか１項に記載の方法。
【請求項３０】
懸濁液に添加されるサイジング促進剤の陽イオン有機ポリマーの量が乾燥繊維に基づいて約０．００１重量％から約３重量％までであり、かつ懸濁液に添加されるサイジング促進剤の陰イオンポリマーの量が乾燥繊維に基づいて約０．００１重量％から約３重量％までである請求の範囲第１項から第２９項のいずれか１項に記載の方法。
【請求項３１】
懸濁液に添加されるサイジング分散液の量が乾燥繊維に基づいてサイジング剤として計算して約０．０１重量％から約５．０重量％までである請求の範囲第１項から第３０項のいずれか１項に記載の方法。